(57)【要約】  【課題】価格の異なる複数の商品を販売する自動販売機に関して、硬貨又は擬似硬貨で商品販売を行うことができる制御装置を提供する。  【解決手段】擬似硬貨に対して金額価値を設定する価値設定手段３と、価値設定手段３にて設定された内容に基づき受入れた擬似硬貨の金額価値を演算する金額価値演算手段４とを備え、演算制御部５ａは受入れられた擬似硬貨に対して金額価値を演算し、商品の販売価格と比較し演算された金額価値が販売価格以上の場合、販売可能と判定する。【選択図】図１
2007241704.tif 000002
【特許請求の範囲】
【請求項１】
自動販売機は硬貨及び擬似硬貨を受入れ識別する硬貨識別手段と、商品の販売価格を記憶する価格記憶手段と、前記擬似硬貨に対して金額価値を設定する価値設定手段と、前記価値設定手段にて設定された内容に基づき受入れた擬似硬貨の金額価値を演算する金額価値演算手段とを備え、前記擬似硬貨を受入れた場合、前記金額価値演算手段により擬似硬貨の金額価値を演算し、演算した結果と商品の販売価格を比較し、金額価値が販売価格以上の場合に販売可能と判定することを特徴とした自動販売機の制御装置。
【請求項２】
擬似硬貨と硬貨を同時に使用できるかを選択できる同時使用設定手段を備え、前記擬似硬貨と前記硬貨が同時に使用できると設定された場合、前記擬似硬貨の金額価値と硬貨の金額価値を加算し、加算した結果と商品の販売価格を比較し金額価値が販売価格以上の場合に販売可能と判定することを特徴とした請求項１に記載の自動販売機の制御装置。
【請求項３】
入金された金額価値を表示する金額価値表示手段を備え、受入れた硬貨及び擬似硬貨の金額価値を演算し、前記金額価値表示手段に表示することを特徴とした請求項１または２に記載の自動販売機の制御装置。
【請求項４】
擬似硬貨で販売した内容を使用された擬似硬貨枚数とその金額価値を記憶する販売内容記憶手段と、販売内容を表示する販売内容表示手段を備え、前記擬似硬貨で販売された内容を使用された擬似硬貨枚数とその金額価値を記憶するとともに前記販売内容表示手段にて表示することを特徴とした請求項１から３のいずれか一項に記載の自動販売機の制御装置。
【請求項５】
擬似硬貨で販売できる時間帯を設定できる時間帯設定手段と、現在年月日時刻を管理するタイマー手段を備え、現在時刻が前記時間帯設定手段にて設定された時間帯である場合のみ擬似硬貨での販売を可能とすることを特徴とした請求項１から４のいずれか一項に記載の自動販売機の制御装置。
【発明の詳細な説明】
【技術分野】
【０００１】
本発明は、硬貨又は擬似硬貨で商品販売を行う自動販売機の制御装置に関するものである。
【背景技術】
【０００２】
従来の自動販売機の制御装置には、硬貨等の計数機能付き識別機で投入された擬似硬貨の枚数を計数し、所定の枚数が投入された時点で識別信号を出力することにより擬似硬貨で娯楽ゲーム機等を使用可能とするものについて開示したものがある（例えば、特許文献１参照）。また、プリペイドカード処理装置および自動販売機で金額価値データを有したプリペイドカードにて商品の販売や金額価値データを換金できる自動販売機について開示したものがある（例えば、特許文献２参照）。
【特許文献１】特開平６−３６１１９号公報
【特許文献２】特開平８−８３３７３号公報
【発明の開示】
【発明が解決しようとする課題】
【０００３】
しかしながら、前記従来の構成で、硬貨等の計数機能付き識別機は所定の枚数が投入された時点で識別信号を出力するとしたものであり、価格の異なる複数の商品を販売する自動販売機では単一の識別信号だけでは、販売できる商品を特定できないという課題を有していた。また、プリペイドカード処理装置および自動販売機はプリペイドカードが有している金額価値データを基に商品の販売や換金を行うようにしたものであり、金額価値データを有しない擬似硬貨には適用できないという課題を有していた。
【０００４】
本発明は、前記従来の課題を解決するもので、硬貨又は擬似硬貨で商品販売を行うことができる自動販売機の制御装置を提供することを目的としている。
【課題を解決するための手段】
【０００５】
前記従来の課題を解決するために、本発明の自動販売機の制御装置は、予め設定された擬似硬貨別の金額価値を基に投入された擬似硬貨に対して金額価値を演算し、商品の販売価格と比較し販売可能かを判定するとしたものである。
【０００６】
これによって、金額価値を有しない擬似硬貨であっても投入された擬似硬貨の金額価値を演算し、商品の販売価格と比較し販売可否を判定するので、擬似硬貨で価格の異なる複数の商品を販売する自動販売機でも商品を販売することができる。
【０００７】
また、本発明の自動販売機の制御装置は、擬似硬貨と硬貨が同時に使用できるように設定された場合には、擬似硬貨の金額価値と硬貨の金額価値を加算し、商品の販売価格と比較し販売可能かを判定するとしたものである。
【０００８】
これによって、擬似硬貨と硬貨を組み合わせて商品を販売することができる。
【０００９】
また、本発明の自動販売機の制御装置は、投入された擬似硬貨や硬貨の金額価値を金額価値表示手段に表示するとしたものである。
【００１０】
これによって、商品購入者は投入した擬似硬貨の金額価値を容易に確認することができ商品購入を行うことができる。
【００１１】
また、本発明の自動販売機の制御装置は、擬似硬貨により販売された商品の販売内容を使用された擬似硬貨枚数とその金額価値を記憶、表示するようにしたものである。
【００１２】
これによって、自動販売機の管理者は擬似硬貨で販売された内容を使用された擬似硬貨枚数とその金額価値で確認することができ商品の精算作業を容易に行うことができる。
【００１３】
また、本発明の自動販売機の制御装置は、擬似硬貨により販売できる時間帯を設定できるようにしたものである。
【００１４】
これによって、夜間や自動販売機の管理者がいない時間帯では擬似硬貨での販売はできないようにし、正規の擬似硬貨を使用しないで商品を購入するような悪戯を防止することができる。
【発明の効果】
【００１５】
本発明の自動販売機の制御装置は、金額価値を有しない擬似硬貨であっても投入された擬似硬貨の金額価値を演算し、商品の販売価格と比較し販売可否を判定するので、擬似硬貨で価格の異なる複数の商品を販売する自動販売機でも商品を販売することができる。
【００１６】
また、擬似硬貨の金額価値と硬貨の金額価値を加算し、商品の販売価格と比較し販売可能かを判定するので、擬似硬貨と硬貨を組み合わせて商品を販売することができる。
【００１７】
また、投入された擬似硬貨や硬貨の金額価値を表示するようにしたので、商品購入者は投入した擬似硬貨の金額価値を容易に確認することができ商品購入を行うことができる。
【００１８】
また、擬似硬貨により販売された商品の販売内容を使用された擬似硬貨枚数とその金額価値を記憶、表示するようにしたので、自動販売機の管理者は擬似硬貨で販売された内容を使用された擬似硬貨枚数とその金額価値で確認することができ商品の精算作業を容易に行うことができる。
【００１９】
また、夜間や自動販売機の管理者がいない時間帯では擬似硬貨での販売はできないようにしたので、正規の擬似硬貨を使用しないで商品を購入するような悪戯を防止することができる。
【発明を実施するための最良の形態】
【００２０】
請求項１に記載の発明は、自動販売機は硬貨及び擬似硬貨を受入れ識別する硬貨識別手段と、商品の販売価格を記憶する価格記憶手段と、前記擬似硬貨に対して金額価値を設定する価値設定手段と、前記価値設定手段にて設定された内容に基づき受入れた擬似硬貨の金額価値を演算する金額価値演算手段とを備え、前記擬似硬貨を受入れた場合、前記金額価値演算手段により擬似硬貨の金額価値を演算し、演算した結果と商品の販売価格を比較し、金額価値が販売価格以上の場合に販売可能と判定することにより、金額価値を有しない擬似硬貨であっても投入された擬似硬貨の金額価値を演算し、商品の販売価格と比較し販売可否を判定するので、価格の異なる複数の商品を販売する自動販売機でも擬似硬貨で商品を販売することができる。
【００２１】
請求項２に記載の発明は、請求項１に記載の発明において、前記擬似硬貨と硬貨を同時に使用できるかを選択できる同時使用設定手段を備え、前記擬似硬貨と硬貨が同時に使用できると設定された場合、擬似硬貨の金額価値と硬貨の金額価値を加算し、加算した結果と商品の販売価格を比較し金額価値が販売価格以上の場合に販売可能と判定することにより、擬似硬貨と硬貨の金額価値と商品の販売価格と比較し販売可能かを判定するので、擬似硬貨と硬貨を組み合わせて商品を販売することができる。
【００２２】
請求項３に記載の発明は、請求項１または２に記載の発明において、入金された金額価値を表示する金額価値表示手段を備え、受入れた硬貨及び擬似硬貨の金額価値を演算し、前記金額価値表示手段に表示することにより、投入された擬似硬貨や硬貨の金額価値を表示するので、商品購入者は投入した擬似硬貨の金額価値を容易に確認することができ商品購入を行うことができる。
【００２３】
請求項４に記載の発明は、請求項１から３のいずれか一項に記載の発明において、擬似硬貨で販売した内容を使用された擬似硬貨枚数とその金額価値を記憶する販売内容記憶手段と、販売内容を表示する販売内容表示手段を備え、前記擬似硬貨で販売された内容を使用された擬似硬貨枚数とその金額価値を記憶するとともに前記販売内容表示手段にて表示することにより、擬似硬貨により販売された商品の販売内容を使用された擬似硬貨枚数とその金額価値を記憶、表示するようにしたので、自動販売機の管理者は擬似硬貨で販売された商品の精算作業を容易に行うことができる。
【００２４】
請求項５に記載の発明は、請求項１から４のいずれか一項に記載の発明において、擬似硬貨で販売できる時間帯を設定できる時間帯設定手段と、現在年月日時刻を管理するタイマー手段を備え、現在時刻が前記時間帯設定手段にて設定された時間帯である場合のみ擬似硬貨での販売を可能とすることにより、夜間や自動販売機の管理者がいない時間帯では擬似硬貨での販売はできないようにしたので、正規の擬似硬貨を使用しないで商品を購入するような悪戯を防止することができる。
【００２５】
以下、本実施の形態について、図面を参照しながら説明する。なお、この実施の形態によって本発明が限定されるものではない。
【００２６】
（実施の形態１）
図１は、本発明の実施の形態１による自動販売機の制御装置の機能ブロック図である。図２は、同実施の形態の自動販売機の制御装置の動作を示すフローチャートである。
【００２７】
図１において、硬貨及び擬似硬貨を受入れ識別する硬貨識別手段１と、商品の販売価格を記憶する価格記憶手段２と、擬似硬貨に対して金額価値を設定する価値設定手段３と、価値設定手段３にて設定された内容に基づき受入れた擬似硬貨の金額価値を演算する金額価値演算手段４と、硬貨識別手段１と価格記憶手段２と価値設定手段３と金額価値演算手段４とに接続された演算制御部５ａとからなり、演算制御部５ａは、擬似硬貨を受入れた場合、金額価値演算手段４により擬似硬貨の金額価値を演算し、演算した結果と商品の販売価格を比較し、金額価値が販売価格以上の場合に販売可能と判定する。
【００２８】
以上のように構成された自動販売機の制御装置について、以下その動作を説明する。
【００２９】
演算制御部５ａは擬似硬貨が受入れられたかを判定し（ＳＴＥＰ１）、受入れられた場合、金額価値演算手段４にて擬似硬貨の金額価値を演算し（ＳＴＥＰ２）、価格記憶手段２に記憶している商品の販売価格と比較し（ＳＴＥＰ３）、金額価値が販売価格以上の場合、販売可能と判定する（ＳＴＥＰ４）。
【００３０】
以上のように本実施の形態の自動販売機の制御装置によれば、擬似硬貨を受入れた場合、金額価値演算手段４により擬似硬貨の金額価値を演算し、演算した結果と商品の販売価格を比較し、金額価値が販売価格以上の場合に販売可能と判定するようにしたことにより、金額価値を有しない擬似硬貨であっても投入された擬似硬貨の金額価値を演算し、商品の販売価格と比較し販売可否を判定するので、擬似硬貨で価格の異なる複数の商品を販売する自動販売機でも商品を販売することができる。
【００３１】
（実施の形態２）
図３は、本発明の実施の形態２による自動販売機の制御装置の機能ブロック図である。図４は、同実施の形態の自動販売機の制御装置の動作を示すフローチャートである。なお実施の形態１と同一構成のものは、同一符号を付してその詳細な説明を省略する。
【００３２】
図３において、擬似硬貨と硬貨を同時に使用できるかを選択できる同時使用設定手段６を備え、演算制御部５ｂは、擬似硬貨と硬貨が同時に使用できると設定された場合、擬似硬貨の金額価値と硬貨の金額価値を加算し、加算した結果と商品の販売価格を比較し金額価値が販売価格以上の場合に販売可能と判定する。
【００３３】
以上のように構成された自動販売機の制御装置について、以下その動作を説明する。
【００３４】
演算制御部５ｂは同時使用設定手段６での設定内容を判定し（ＳＴＥＰ１１）、擬似硬貨と硬貨が同時に使用できると設定されている場合、擬似硬貨または硬貨が受入れられたかを判定し（ＳＴＥＰ１２）、受入れられた場合、金額価値演算手段４にて演算された擬似硬貨の金額価値と硬貨の金額価値を加算し（ＳＴＥＰ１３）、価格記憶手段２に記憶している商品の販売価格と比較し（ＳＴＥＰ１４）、金額価値が販売価格以上の場合、販売可能と判定する（ＳＴＥＰ１５）。
【００３５】
以上のように本実施の形態の自動販売機の制御装置によれば、擬似硬貨と硬貨が同時に使用できると設定された場合、擬似硬貨の金額価値と硬貨の金額価値を加算し、加算した結果と商品の販売価格を比較し金額価値が販売価格以上の場合に販売可能と判定するようにしたことにより、擬似硬貨と硬貨を組み合わせて商品を販売することができる。
【００３６】
（実施の形態３）
図５は、本発明の実施の形態３による自動販売機の制御装置の機能ブロック図である。図６は、同実施の形態の自動販売機の制御装置の動作を示すフローチャートである。なお実施の形態２と同一構成のものは、同一符号を付してその詳細な説明を省略する。
【００３７】
図５において、入金された金額価値を表示する金額価値表示手段７を備え、演算制御部５ｃは、受入れた硬貨及び擬似硬貨の金額価値を演算し、金額価値表示手段７に表示する。
【００３８】
以上のように構成された自動販売機の制御装置について、以下その動作を説明する。
【００３９】
演算制御部５ｃは擬似硬貨と硬貨が同時に使用できると設定され、擬似硬貨または硬貨が受入れ、金額価値演算手段４にて演算された擬似硬貨の金額価値と硬貨の金額価値を加算した場合（ＳＴＥＰ１１〜１３）、また、擬似硬貨と硬貨が同時に使用できないと設定されている場合、擬似硬貨が受入れられ、金額価値演算手段４にて擬似硬貨の金額価値を演算した場合（ＳＴＥＰ１〜２）、金額価値表示手段７に受入れられた金額価値を表示する（ＳＴＥＰ２１）。
【００４０】
以上のように本実施の形態の自動販売機の制御装置によれば、受入れた硬貨及び擬似硬貨の金額価値を演算し、金額価値表示手段７に表示するようにしたことにより、投入された擬似硬貨や硬貨の金額価値を表示するので、商品購入者は投入した擬似硬貨の金額価値を容易に確認することができ商品購入を行うことができる。
【００４１】
（実施の形態４）
図７は、本発明の実施の形態４による自動販売機の制御装置の機能ブロック図である。図８は、同実施の形態の自動販売機の制御装置の動作を示すフローチャートである。なお実施の形態３と同一構成のものは、同一符号を付してその詳細な説明を省略する。
【００４２】
図７において、擬似硬貨で販売した内容を使用された擬似硬貨枚数とその金額価値を記憶する販売内容記憶手段８と、販売内容を表示する販売内容表示手段９を備え、演算制御部５ｄは、擬似硬貨で販売された内容を使用された擬似硬貨枚数とその金額価値を記憶するとともに販売内容表示手段９にて表示する。
【００４３】
以上のように構成された自動販売機の制御装置について、以下その動作を説明する。
【００４４】
演算制御部５ｄは擬似硬貨で販売されたかを判定し（ＳＴＥＰ３１）、擬似硬貨で販売された場合、使用された擬似硬貨枚数とその金額価値を販売内容記憶手段８に記憶する（ＳＴＥＰ３２）。自動販売機の管理者が販売された内容を確認する場合、販売内容表示手段９に擬似硬貨で販売した内容を使用された擬似硬貨枚数とその金額価値を表示する（ＳＴＥＰ３３）。
【００４５】
以上のように本実施の形態の自動販売機の制御装置によれば、擬似硬貨で販売された内容を使用された擬似硬貨枚数とその金額価値を記憶するとともに販売内容表示手段９にて表示するようにしたことにより、擬似硬貨により販売された内容を使用された擬似硬貨枚数とその金額価値で確認することができるので、自動販売機の管理者は擬似硬貨で販売された商品の精算作業を容易に行うことができる。
【００４６】
（実施の形態５）
図９は、本発明の実施の形態５による自動販売機の制御装置の機能ブロック図である。図１０は、同実施の形態の自動販売機の制御装置の動作を示すフローチャートである。なお実施の形態４と同一構成のものは、同一符号を付してその詳細な説明を省略する。
【００４７】
図９において、擬似硬貨で販売できる時間帯を設定できる時間帯設定手段１０と、現在年月日時刻を管理するタイマー手段１１を備え、演算制御部５ｅは現在時刻が時間帯設定手段１０にて設定された時間帯である場合のみ擬似硬貨での販売を可能とする。
【００４８】
以上のように構成された自動販売機の制御装置について、以下その動作を説明する。
【００４９】
演算制御部５ｅは現在時刻が時間帯設定手段１０で設定された擬似硬貨で販売できる時間帯かを判定し（ＳＴＥＰ４１）、販売できる時間帯の場合、擬似硬貨が受入れられれば、金額価値演算手段４にて擬似硬貨の金額価値を演算し、商品が販売可能かを判定する（ＳＴＥＰ１〜３）。一方、販売できる時間帯でない場合、擬似硬貨が受入れられても擬似硬貨の金額価値演算を行わず擬似硬貨による販売を不可とする（ＳＴＥＰ４２）。
【００５０】
以上のように本実施の形態の自動販売機の制御装置によれば、現在時刻が時間帯設定手段１０にて設定された時間帯である場合のみ擬似硬貨での販売を可能とすることにより、夜間や自動販売機の管理者がいない時間帯では擬似硬貨での販売はできないようにしたので、正規の擬似硬貨を使用しないで商品を購入するような悪戯を防止することができる。
【００５１】
また、本実施の形態の販売できる時間帯でない場合の動作を、硬貨識別手段１での擬似硬貨の受入れを不可とすることにより、商品購入者に擬似硬貨が使用できないことを容易に知らせることができるという効果が得られる。
【産業上の利用可能性】
【００５２】
以上のように、本発明に係る自動販売機の制御装置は、金額価値を有しない擬似硬貨であっても価格の異なる複数の商品を販売することができ、商品の自動販売機に限らずサービスやソフトなどの提供を行う機器にも適用できる。
【図面の簡単な説明】
【００５３】
【図１】本発明の実施の形態１による自動販売機の制御装置の機能ブロック図
【図２】同実施の形態による自動販売機の制御装置の動作を示すフローチャート
【図３】本発明の実施の形態２による自動販売機の制御装置の機能ブロック図
【図４】同実施の形態による自動販売機の制御装置の動作を示すフローチャート
【図５】本発明の実施の形態３による自動販売機の制御装置の機能ブロック図
【図６】同実施の形態による自動販売機の制御装置の動作を示すフローチャート
【図７】本発明の実施の形態４による自動販売機の制御装置の機能ブロック図
【図８】同実施の形態による自動販売機の制御装置の動作を示すフローチャート
【図９】本発明の実施の形態５による自動販売機の制御装置の機能ブロック図
【図１０】同実施の形態による自動販売機の制御装置の動作を示すフローチャート
【符号の説明】
【００５４】
１    硬貨識別手段
２    価格記憶手段
３    価値設定手段
４    金額価値演算手段
５ａ，５ｂ，５ｃ，５ｄ，５ｅ  演算制御部
６    同時使用設定手段
７    金額価値表示手段
８    販売内容記憶手段
９    販売内容表示手段
１０  時間帯設定手段
１１  タイマー手段
【図１】
2007241704.tif 000003
【図２】
2007241704.tif 000004
【図３】
2007241704.tif 000005
【図４】
2007241704.tif 000006
【図５】
2007241704.tif 000007
【図６】
2007241704.tif 000008
【図７】
2007241704.tif 000009
【図８】
2007241704.tif 000010
【図９】
2007241704.tif 000011
【図１０】
2007241704.tif 000012